【事件の表示】
　特願２００４−１４４２０１号「爪の成長促進と形状矯正の為の方法」拒絶査定不服審判事件〔平成１７年１０月２７日出願公開、特開２００５−２９６５６９号〕について、次のとおり審決する。
【結　論】
　本件審判の請求は、成り立たない。
【理　由】
１．手続の経緯
　本願は、平成１６年４月１２日の出願であって、平成１７年１１月１日付けで拒絶査定がなされ、これに対して、平成１７年１２月７日付けで拒絶査定不服審判の請求がなされ、平成１７年１２月２２日付けで手続補正がなされたものである。
　
２．平成１７年１２月２２日付けの手続補正についての補正却下の決定
［補正却下の決定の結論］
　平成１７年１２月２２日付けの手続補正（以下、「本件補正」という。）を却下する。
［理由］
（１）補正の内容
　本件補正は、願書に最初に添付した特許請求の範囲の請求項１ないし３（拒絶査定時の特許請求の範囲の請求項１ないし３）である
「【請求項１】
指に固定器具などを直接装着し「残留物を残さない固形物の使用」「長時間における容易な使用」「長時間における安全な使用」「異なる形状の爪に対する使用」「装着後の位置調整の容易さ」「過剰な圧迫の回避」「使用上の経費・時間の手軽さ」の課題を満たす固定器具を利用する事を特徴とした、爪の成長促進と形状矯正の方法である。（図１・図２参照）
なお、固定部とは、交差部を指に固定する部品である。
なお、引張部とは、交差部に包括され、固定部と指との圧迫により固定される部品である。
　また、差込部を包括する。
なお、交差部とは、以下の３条件を満たす部品である。（図３参照）
　１）固定部・引張部を包括する。
　２）固定部・引張部を交差させる。
　３）固定部による指への締め付けにおける圧迫が引張部に及ぶ形状と材
質。
　また、以上の３条件を満たしているならば、図３の形状に限らず交差部と認める。
なお、差込部とは、以下の６条件を満たす部品である。（図４参照）
　１）指・爪を支点とし、２点以上の点（図４の場合、２つの穴）で支えられる形状であ
ること。
　２）指と爪の間に差し込むことのできる厚さ。
　３）図８の状態で爪の中に埋もれず、また指を足場にして爪を支えられる長さを満たす。
　４）図４のように引張部が貫通しており、引張部に対して移動が可能である事。
　５）固定器具装着中における外部との衝突の危険を避ける幅・形状。
　６）使用中に形状の損失が起きず、残留物が生じない材質。
　また、以上の６条件を満たしているならば、図４の形状に限らず差込部と認める。
【請求項２】
爪の成長促進と形状矯正の為の固定器具における部品「交差部」（図１、図３参照）を用いて「長時間における容易な使用」「異なる形状の爪に対する使用」「過剰な圧迫の回避」「装着後の位置調整の容易さ」の課題を満たす事を特徴とした爪の成長促進と形状矯正の方法である。
　なお交差部とは以下の３条件を満たすものである。
　１）固定部・引張部を包括する。
　２）固定部・引張部を交差させる。
　３）固定部による指への締め付けにおける圧迫が引張部に及ぶ形状と材
質。
　また、以上の３条件を満たしているならば、図３の形状に限らず交差部と認める。
【請求項３】
爪の成長促進と形状矯正の為の固定器具における部品「差込部」（図１、図４参照）を用いて「残留物を残さない固形物の使用」「長時間における安全な使用」「異なる形状の爪に対する使用」「装着後の位置調整の容易さ」の課題を満たす事を特徴とした爪の成長促進と形状矯正の方法である。
　なお差込部とは以下の６条件を満たすものである。
　１）指・爪を支点とし、２点以上の点（図４の場合、２つの穴）で支えられる形状であ
ること。
　２）指と爪の間に差し込むことのできる厚さ。
　３）図８の状態で爪の中に埋もれず、また指を足場にして爪を支えられる長さを満たす。　４）図４のように引張部が貫通しており、引張部に対して移動が可能である事。
　５）固定器具装着中における外部との衝突の危険を避ける幅・形状。
　６）使用中に形状の損失が起きず、残留物が生じない材質。
　また、以上の６条件を満たしているならば、図４の形状に限らず差込部と認める。」
を
「【請求項１】
（１）水平方向に貫通し各々が直角に交差する２つの穴を有する板「交差部」２つ。
（２）交差部の１つの穴を貫通し輪を描く１本のヒモ「固定部」。
（３）固定部に対し、垂直に交差部を貫通し、なおかつ固定部に対し、内側に円を描く１本のヒモ「引張部」。
（４）垂直方向に貫通する２つの穴を有する板で、引張部に貫通され、なおかつ引張部において交差部２つに挟まれる位置にある「差込部」２つ。
以上（１）（２）（３）（４）からなり、（２）を内容物に固定状態にする事により内容物と（１）とで（３）を固定状態にし、（３）の張力を保つ事で自動的に（４）を固定状態にする原理を用いた「固定器具」。（図１参
照）
【請求項２】
水平方向に貫通し各々が直角に交差する２つの穴を有する板「交差部」。（図３参照）
【請求項３】
垂直方向に貫通する２つの穴を持ち、ヒモなどが貫通できる板「差込部」。（図４参照）」
と補正するものである。
　
（２）補正の目的の適否
　本件補正は、「爪の成長促進と形状矯正の方法」という方法の発明を「固定器具」という物の発明に補正するものであり、発明のカテゴリーを変更するものであるから、本件補正後の各請求項に記載された発明は、本件補正前の各請求項に記載された発明を特定するために必要な事項を限定するものとはなっていない。よって、本件補正は、特許請求の範囲の減縮を目的とするものとは認められない。
　また、本件補正は、請求項の削除、誤記の訂正、明りょうでない記載の釈明の、いずれを目的としたものとも認められない。
　したがって、本件補正は、特許法第１７条の２第４項の規定に違反するので、特許法第１５９条第１項において読み替えて準用する同法第５３条第１項の規定により却下すべきものである。
　
３．本願発明
　本件補正は、上記のとおり却下されたので、本願の特許請求の範囲の請求項１ないし３に係る発明（以下、順に「本願発明１ないし３」という。）は、願書に最初に添付された特許請求の範囲の請求項１ないし３に記載された事項によって特定される次のとおりのものである。
「【請求項１】
指に固定器具などを直接装着し「残留物を残さない固形物の使用」「長時間における容易な使用」「長時間における安全な使用」「異なる形状の爪に対する使用」「装着後の位置調整の容易さ」「過剰な圧迫の回避」「使用上の経費・時間の手軽さ」の課題を満たす固定器具を利用する事を特徴とした、爪の成長促進と形状矯正の方法である。（図１・図２参照）
なお、固定部とは、交差部を指に固定する部品である。
なお、引張部とは、交差部に包括され、固定部と指との圧迫により固定される部品である。
　また、差込部を包括する。
なお、交差部とは、以下の３条件を満たす部品である。（図３参照）
　１）固定部・引張部を包括する。
　２）固定部・引張部を交差させる。
　３）固定部による指への締め付けにおける圧迫が引張部に及ぶ形状と材
質。
　また、以上の３条件を満たしているならば、図３の形状に限らず交差部と認める。
なお、差込部とは、以下の６条件を満たす部品である。（図４参照）
　１）指・爪を支点とし、２点以上の点（図４の場合、２つの穴）で支えられる形状であ
ること。
　２）指と爪の間に差し込むことのできる厚さ。
　３）図８の状態で爪の中に埋もれず、また指を足場にして爪を支えられる長さを満たす。
　４）図４のように引張部が貫通しており、引張部に対して移動が可能である事。
　５）固定器具装着中における外部との衝突の危険を避ける幅・形状。
　６）使用中に形状の損失が起きず、残留物が生じない材質。
　また、以上の６条件を満たしているならば、図４の形状に限らず差込部と認める。
【請求項２】
爪の成長促進と形状矯正の為の固定器具における部品「交差部」（図１、図３参照）を用いて「長時間における容易な使用」「異なる形状の爪に対する使用」「過剰な圧迫の回避」「装着後の位置調整の容易さ」の課題を満たす事を特徴とした爪の成長促進と形状矯正の方法である。
　なお交差部とは以下の３条件を満たすものである。
　１）固定部・引張部を包括する。
　２）固定部・引張部を交差させる。
　３）固定部による指への締め付けにおける圧迫が引張部に及ぶ形状と材
質。
　また、以上の３条件を満たしているならば、図３の形状に限らず交差部と認める。
【請求項３】
爪の成長促進と形状矯正の為の固定器具における部品「差込部」（図１、図４参照）を用いて「残留物を残さない固形物の使用」「長時間における安全な使用」「異なる形状の爪に対する使用」「装着後の位置調整の容易さ」の課題を満たす事を特徴とした爪の成長促進と形状矯正の方法である。
　なお差込部とは以下の６条件を満たすものである。
　１）指・爪を支点とし、２点以上の点（図４の場合、２つの穴）で支えられる形状であ
ること。
　２）指と爪の間に差し込むことのできる厚さ。
　３）図８の状態で爪の中に埋もれず、また指を足場にして爪を支えられる長さを満たす。　４）図４のように引張部が貫通しており、引張部に対して移動が可能である事。
　５）固定器具装着中における外部との衝突の危険を避ける幅・形状。
　６）使用中に形状の損失が起きず、残留物が生じない材質。
　また、以上の６条件を満たしているならば、図４の形状に限らず差込部と認める。」
　
４．当審の判断
（１）請求項１ないし３には、「爪の成長促進と形状矯正の方法である。」との記載がある。
（２）発明の詳細な説明には、本願発明の【技術分野】、【背景技術】、【発明が解決しようとする課題】、【発明の効果】として次の記載がある。
ア．【技術分野】
「この発明は、巻き爪などを含む変形した爪の「矯正方法」に関する」（段落【０００１】）
イ．【背景技術】
「巻き爪などの症状においては
長時間の圧迫による変形により爪が指にめり込むなどして爪・指間の摩擦が増し、爪の成長が遅くなっていることがある。
　また変形した爪による圧迫により、爪の台座である指自体までが爪に合わせて変形するため、爪は正常な状態に戻る時間を得られず摩擦の増した状態が続き、爪の成長は更に遅れ、悪化する。
　従来では、これらの症状を改善する際短期間、習慣的にちり紙などの詰め物をして成長を促進および矯正する方法がある。
　また爪に穴を開けワイヤーで固定する等の医療処置も行われている。」（段落【０００２】）
ウ．【発明が解決しようとする課題】
「…（略）…
　そこで、この発明は爪の矯正における指に直接装着し「残留物を残さない固形物の使用」「長時間における容易な使用」「長時間における安全な使用」「異なる形状の爪に対する使用」「装着後の位置調整の容易さ」「過剰な圧迫の回避」「使用上の経費・時間の手軽さ」を課題とする。」（段落【０００３】）
エ．【発明の効果】
「…（略）…
　また、異なる形状の爪に対する使用が可能である。
　また固定器具と指自体との摩擦を利用して患部との接触部分を固定する為微妙な位置調整が可能である。
　また固定器具と指自体との摩擦を利用して患部との接触部分を固定する為バネのように過剰な力が加わらない。…（中略）…
　また、この固定器具を短時間ずつ繰り返し使用することで生活習慣の中で爪の形状が正常な状態である時間を作る。
　その結果、爪・指間の摩擦が減り、爪の成長が促される。
　同時に、爪による指への圧迫時間が減少する事で、生活習慣の中で指自体の弾力により指の形状が正常な状態へ戻っていく時間ができる。
　その結果、指の形状は正常な状態へ近づく。よって爪が再度圧迫されたとしても爪は指にめり込み難く、再発を防ぐ効果がある。（図５・図６・図７参照）
　使用自体の手間も少なく、固定の強弱の加減が容易なので、比較的軽症への処置、あるいは健常者の予防行為などに抵抗感を与えない。」（段落【０００５】ないし【００１３】）
　
　上記（１）（２）の記載からすると、本願発明１ないし３の「爪の成長促進と形状矯正の方法」は、巻き爪などを含む変形した爪を矯正し、爪が指へのめり込み難くし、爪の成長を促すための方法であることから、「人間を治療する方法」の発明であると認められる。
　したがって、本願発明１ないし３は、特許法第２９条第１項柱書に規定されている「産業上利用することができる発明」に該当しない（東高判平成１２年（行ケ）第６５号（平成１４年４月１１日判決言渡）、判時１８２８号９９頁参照）。
　
５．むすび
　以上のとおり、本願発明１ないし３は、特許法第２９条第１項柱書に規定されている産業上利用することができる発明に該当しないから、特許を受けることができない。
　よって、結論のとおり審決する。